(57)【要約】【課題】排出される潤滑油が通過する軸受の隙間を狭めることなくオイル排出性を向上させて潤滑油を速やかに外部に排出させることが可能な軸受を提供する。【解決手段】内輪１１と、内輪１１の外側に内輪１１と同軸に設けられる外輪１２と、内輪１１の外周面１１ａと外輪１２の内周面１２ａとに互いに接してこれらの面を転動する複数のボール１３とを備え、一方の側面１０ａから内輪１１と外輪１２との間に潤滑油が供給される軸受１０において、軸受１０の他方の側面１０ｂに設けられ、その他方の側面１０ｂ側に配置される一端の外径Ｄ１が軸受１０の他方の側面１０ｂにおける内輪１１の外径Ｄ１以下であるとともに他端の外径Ｄ２が軸受１０の他方の側面１０ｂにおける内輪１１の外径Ｄ１より大きく、かつ一端から他端に向かって外径が大きくなるテーパ部材２０を備える。【選択図】図１
2009121575.tif 000002
【特許請求の範囲】
【請求項１】
内輪と、前記内輪の外側に前記内輪と同軸に設けられる外輪と、前記内輪の外周面と前記外輪の内周面とに互いに接してこれらの面を転動する複数の転動体と、を備え、一方の側面から前記内輪と前記外輪との間に潤滑油が供給される軸受において、
前記軸受の他方の側面に設けられ、その他方の側面側に配置される一端の外径が前記軸受の他方の側面における前記内輪の外径以下であるとともに他端の外径が前記軸受の他方の側面における前記内輪の外径より大きく、かつ一端から他端に向かって外径が大きくなる円筒部材を備えることを特徴とする軸受。
【請求項２】
前記円筒部材の一端の外径が、前記軸受の他方の側面における前記内輪の外径と同じである請求項１に記載の軸受。
【請求項３】
前記円筒部材の外径は、前記円筒部材の外周面が一端から他端に向かって直線を描くように漸次大きくなっている請求項１又は２に記載の軸受。
【請求項４】
前記円筒部材の外径は、前記円筒部材の外周面が一端から他端に向かって曲線を描くように漸次大きくなっている請求項１又は２に記載の軸受。
【請求項５】
前記円筒部材は、前記軸受の内輪にて回転可能に支持する回転軸にその回転軸と一体回転するように固定される請求項１〜４のいずれか一項に記載の軸受。
【発明の詳細な説明】
【技術分野】
【０００１】
本発明は、内輪と外輪との間に複数の転動体が設けられる軸受に関する。
【背景技術】
【０００２】
内輪と外輪との間にボールやコロなどの転動体が設けられる転がり軸受が知られている。また、この転がり軸受を高速で回転させる場合は、外部から軸受の内部に強制的に潤滑油（以下、オイルと称することがある。）を供給し、これにより潤滑を良好に維持するものが知られている。このように内部にオイルを供給する転がり軸受においては、オイルが軸受内に滞留するとオイルを攪拌するときの攪拌抵抗により軸受の温度が上昇するおそれがある。そこで、オイルを軸受の内部から外部に速やかに排出させるべくオイルが排出される側の内輪の肩部にオイル排出端面側に向かってその径が大きくなるテーパが形成された転がり軸受が知られている（特許文献１参照）。その他、本発明に関連する先行技術文献として特許文献２が存在する。
【０００３】
【特許文献１】特開平１１−２０１１７３号公報
【特許文献２】特開２００６−３８１３４号公報
【発明の開示】
【発明が解決しようとする課題】
【０００４】
特許文献１の軸受では、オイルが排出される側における内輪と保持器との間の隙間が小さくなり、保持器がオイルの排出を邪魔するおそれがある。そのため、オイル排出性が低下してオイルが排出され難くなるおそれがある。
【０００５】
そこで、本発明は、排出される潤滑油が通過する軸受の隙間を狭めることなくオイル排出性を向上させて潤滑油を速やかに外部に排出させることが可能な軸受を提供することを目的とする。
【課題を解決するための手段】
【０００６】
本発明の軸受は、内輪と、前記内輪の外側に前記内輪と同軸に設けられる外輪と、前記内輪の外周面と前記外輪の内周面とに互いに接してこれらの面を転動する複数の転動体と、を備え、一方の側面から前記内輪と前記外輪との間に潤滑油が供給される軸受において、前記軸受の他方の側面に設けられ、その他方の側面側に配置される一端の外径が前記軸受の他方の側面における前記内輪の外径以下であるとともに他端の外径が前記軸受の他方の側面における前記内輪の外径より大きく、かつ一端から他端に向かって外径が大きくなる円筒部材を備えることにより、上述した課題を解決する（請求項１）。
【０００７】
円筒部材の外径は一端から他端に向かって大きくなっているため、円筒部材が回転した際の周速度は一端から他端に向かうに従って大きくなり、この回転によって生じる遠心力は一端から他端に向かうほど大きくなる。そのため、軸受の他方の側面からは円筒部材の外周面に排出された潤滑油をこの周速度の差によって他端側に速やかに移動させることができる。本発明の軸受によれば、このように円筒部材の一端から他端に潤滑油を速やかに移動させることができるので、潤滑油が円筒部材の一端に滞留することを防止できる。そのため、軸受の他方の側面から円筒部材の一端への潤滑油の排出を促進させ、軸受の内部で潤滑油が滞留することを抑制できる。また、本発明の軸受では、内輪の外径を変化させる必要がないため、他方の側面において軸受の隙間が狭くなることを防止できる。円筒部材の一端の外径は軸受の他方の側面における内輪の外径以下であるため、他方の側面から排出される潤滑油が円筒部材にて邪魔されることがない。そのため、排出される潤滑油が通過する軸受の隙間を狭めることなくオイル排出性を向上させて潤滑油を速やかに外部に排出させることができる。
【０００８】
本発明の軸受の一形態においては、前記円筒部材の一端の外径が、前記軸受の他方の側面における前記内輪の外径と同じであってもよい（請求項２）。この場合、内輪から円筒部材にスムーズにオイルを移動させることができる。
【０００９】
本発明の軸受の一形態において、前記円筒部材の外径は、前記円筒部材の外周面が一端から他端に向かって直線を描くように漸次大きくなっていてもよいし（請求項３）、前記円筒部材の外径は、前記円筒部材の外周面が一端から他端に向かって曲線を描くように漸次大きくなっていてもよい（請求項４）。このように外周面が直線又は曲線を描くように円筒部材の外径を漸次大きくすることにより、円筒部材の一端から他端にスムーズに潤滑油を移動させることができる。
【００１０】
本発明の軸受の一形態において、前記円筒部材は、前記軸受の内輪にて回転可能に支持する回転軸にその回転軸と一体回転するように固定されてもよい（請求項５）。このように円筒部材を回転軸に固定することにより、この円筒部材によって軸受が回転軸の軸線方向、いわゆるスラスト方向に移動することを防止できる。
【発明の効果】
【００１１】
以上に説明したように、本発明の軸受によれば、軸受の他方の側面に一端から他端に向かって外径が大きくなる円筒部材を設けたので、排出される潤滑油が通過する軸受の隙間を狭めることなくオイル排出性を向上させて潤滑油を速やかに外部に排出させることができる。
【発明を実施するための最良の形態】
【００１２】
図１は、本発明の一形態に係る軸受が組み込まれた車両の一部の断面を拡大して示している。この車両１は走行用動力源として電動機及び発電機として機能するモータジェネレータ（ＭＧ）と内燃機関（不図示）とを備えたいわゆるハイブリッド車両であり、図１では、このＭＧのロータ（回転軸）２の一部を拡大して示している。図１に示したようにロータ２は軸受１０、１０にて回転可能に支持され、軸受１０、１０はケース３に保持されている。
【００１３】
ロータ２の内部には、ロータ２の軸線方向に延びる第１オイル通路４と、第１オイル通路４からロータ２の半径方向に延びて突出部２ａの外周面に開口する第２オイル通路５とが設けられている。ロータ２の端部にはオイルポンプ６が設けられており、第１オイル通路４はオイルポンプ６から吐出されたオイルが導入されるようにオイルポンプ６と接続されている。図１に示したようにロータ２の外周面には、周方向に全周に亘って外側に突出する突出部２ａが設けられている。ケース３にも、このロータ２の突出部２ａと対向するようにこの突出部２ａと同じ幅の突出部３ａが設けられている。そして、図１に示したようにロータ２の突出部２ａとケース３の突出部３ａとは、互いの対向する面にて第２オイル通路５から突出部２ａの外周面に出たオイルを各軸受１０、１０にそれぞれ導く第３オイル通路７が形成されるように設けられている。また、ロータ２の突出部２ａの高さは、軸受１０の内輪１１の厚さとほぼ同じに設定され、ケース３の突出部３ａの高さは、軸受１０の外輪１２の厚さとほぼ同じに設定される。このように各突出部２ａ、３ａの高さを設定することにより、第３オイル通路７から軸受１０にスムーズにオイルを供給することができる。なお、ロータ２の突出部２ａの高さは、軸受１０の内輪１１の厚さ以下に設定してもよい。また、ケース３の突出部３ａの高さは、軸受１０の外輪１２の厚さ以下に設定してもよい。
【００１４】
図１に示したように軸受１０は、内輪１１と、内輪１１の外側に内輪１１と同軸に設けられる外輪１２と、内輪１１の外周面１１ａと外輪１２の内周面１２ａとに互いに接してこれらの面を周方向に転動する転動体としての複数のボール１３とを備えた転がり軸受の一種である深溝玉軸受である。軸受１０は、一方の側面１０ａにおいて内輪１１がロータ２の突出部２ａと、外輪１２がケース３の突出部３ａとそれぞれ接するようにロータ２を支持している。一方、各軸受１０の他方の側面１０ｂには、円筒部材としてのテーパ部材２０が設けられている。テーパ部材２０は、円筒状をしており、一端が軸受１０の他方の側面１０ｂに接し、かつロータ２と一体回転するようにロータ２に固定されている。なお、テーパ部材２０は、例えばテーパ部材２０の内径をロータ２の外径よりも若干小さくしてロータ２に圧入して取り付けてもよいし、ロータ２にネジにて取り付けてもよい。テーパ部材２０の一端の外径Ｄ１には、内輪の外径Ｄａと同じ値が設定される。一方、テーパ部材２０の他端の外径Ｄ２には、内輪１１の外径Ｄａよりも大きい値であり、かつテーパ部材２０の他端とケース３との間にオイルを十分に排出することが可能な隙間が形成される値が設定される。図１に示したようにテーパ部材２０の外径は、テーパ部材２０の外周面２０が一端から他端に向かって直線を描くように漸次大きくなっている。そのため、テーパ部材２０の外周面２０ａは、一端から他端に向かって徐々に拡がるように形成される。なお、テーパ部材２０の幅は、ロータ２の長さなどに応じて適宜設定すればよい。
【００１５】
これらの軸受１０、１０には、オイルポンプ６からオイルが供給される。オイルポンプ６から吐出されたオイルは、図１に矢印Ｆで示したように第１オイル通路４及び第２オイル通路５を介して第３オイル通路７に導かれる。その後、オイルは第３オイル通路７から各軸受１０の一方の側面１０ａの内輪１１と外輪１２との間に供給される。軸受１０の内部に供給されたオイルは、軸受１０の他方の側面１０ｂから排出される。上述したように各軸受１０の他方の側面１０ｂには、テーパ部材２０が設けられている。このテーパ部材２０は、一端から他端に向かって徐々に外径が大きくなっているため、回転時における周速度は一端から他端に向かって徐々に大きくなり、この回転によって生じる遠心力は一端から他端に向かうほど大きくなる。そのため、軸受１０の他方の側面１０ｂからテーパ部材２０の一端に排出されたオイルをこの周速度の差によって速やかに他端側に移動させる、言い換えるとオイルを他端側に吸い出すことができるので、オイルがテーパ部材２０の一端に滞留することを防止できる。従って、軸受１０の他方の側面１０ｂからのオイルの排出を促進させ、軸受１０の内部においてオイルが滞留することを抑制できる。また、テーパ部材２０の一端の外径Ｄ１は、内輪１１の外径Ｄａと同じ値が設定されているので、テーパ部材２０が軸受１０からのオイルの排出を阻害せず、軸受１０の他方の側面１０ｂからテーパ部材２０の外周面２０ａにスムーズにオイルを移動させることができる。
【００１６】
以上に説明したように、本発明の軸受１０によれば、テーパ部材２０にて軸受１０からのオイルの排出を促進させることができる。そのため、オイル排出性を向上させて軸受１０から外部に速やかにオイルを排出することができる。また、この軸受１０では、内輪１１の外径を変化させる必要がないため、他方の側面１０ｂにおいて内輪１１と外輪１２との間の隙間が狭くなることを防止できる。さらに、テーパ部材２０はロータ２に固定されているので、このテーパ部材２０にて軸受１０が軸線方向（スラスト方向）に移動することを防止できる。
【００１７】
なお、テーパ部材２０のみを既に装置などに組み込まれている軸受の側面に設けてもよい。このようにテーパ部材２０を既に設けられている軸受に設けても本発明の軸受１０と同様の作用効果を得ることができる。この場合、既に設けられている軸受を交換したり加工したりする必要がないため、低コストでオイル排出を向上させることができる。
【００１８】
テーパ部材２０の形状は、図１に示した形状に限定されない。例えば、図２に断面を示したようにテーパ部材２０の外径は、外周面２０ａが一端から他端に向かって曲線を描くように漸次大きくなっていてもよい。また、図３に示したようにテーパ部材２０の一端の外径が内輪１１の外径Ｄａ以下であってもよい。さらに、テーパ部材２０の外径は、一端から他端まで一定の割合で漸次大きくなっていなくてもよい。例えば、一端から中間までの外周面の傾きと中間から他端までの外周面の傾きとが異なっていてもよい。これらの場合においても、テーパ部材２０の一端から他端に向かうに従って回転時に発生する遠心力を漸次大きくすることができるので、軸受１０から外部に速やかにオイルを排出することができる。
【００１９】
本発明は、上述した形態に限定されることなく、種々の形態にて実施することができる。本発明は深溝玉軸受に限定されず、アンギュラ玉軸受やコロ軸受に適用してもよい。
【図面の簡単な説明】
【００２０】
【図１】本発明の一形態に係る軸受が組み込まれた車両の一部の断面を拡大して示す図。
【図２】テーパ部材の変形例を示す図。
【図３】テーパ部材の他の変形例を示す図。
【符号の説明】
【００２１】
２  ロータ（回転軸）
１０  軸受
１０ａ  一方の側面
１０ｂ  他方の側面
１１  内輪
１１ａ  外周面
１２  外輪
１２ａ  内周面
１３  ボール（転動体）
２０  テーパ部材（円筒部材）
２０ａ  外周面
Ｄａ  内輪の外径
Ｄ１  テーパ部材の一端の外径
Ｄ２  テーパ部材の他端の外径
【図１】
2009121575.tif 000003
【図２】
2009121575.tif 000004
【図３】
2009121575.tif 000005